(57)【要約】【課題】本体に対するノズルの前後動により噴霧状態を変化させるタイプのトリガー式噴霧器であって、内容物の予期せぬ噴霧・漏出を防止できるものを提供する。【解決手段】  トリガー式噴霧器の本体２から蓄圧弁Ｖを介してノズル５０のスピン機構ＳＰに至りかつスピン機構と連続するノズル孔Ｎから噴霧する液体流路Ｌを備え、本体２に対してノズルの位置を前位置・中位置・後位置の何れかに調整できるように設け、本体２に対するノズル５０の相対的な前後動により、前方付勢手段Ｂによる蓄圧弁座５６への蓄圧弁体８０の圧接力が変化するように設けて、ノズル５０が前位置にあるときには狭い噴霧パターンが、またノズルが中位置にあるときには広い噴霧パターンがそれぞれ得られるように形成し、ノズルが後位置にあるときに、係止部１７と蓄圧弁座５６との間で蓄圧弁体８０が固定されるように設けた。【選択図】図２
2016140784.tif 000002
【特許請求の範囲】
【請求項１】
容器体への装着部(４)を有し、トリガー(４０)の操作により容器体側から本体(２)へ液体を吸い上げるとともに本体(２)の前部へ付設したノズル(５０)から噴霧することが可能なトリガー式噴霧器において、
上記本体(２)から蓄圧弁(Ｖ)を介してノズル(５０)のスピン機構(ＳＰ)に至りかつスピン機構と連続するノズル孔(Ｎ)から噴霧する液体流路(Ｌ)を備え、
上記本体(２)に対してノズル(５０)を移動してノズルの位置を前位置・中位置・後位置の何れかに調整できるように設け、
上記蓄圧弁(Ｖ)は、前方付勢手段(Ｂ)により前方付勢された蓄圧弁体(８０)を蓄圧弁座(５６)に圧接してなり、
本体(２)に対するノズル(５０)の相対的な前後動によって、上記前方付勢手段(Ｂ)による蓄圧弁座(５６)への蓄圧弁体(８０)の圧接力が変化するように設けて、
ノズル(５０)が前位置にあるときには低い圧力で蓄圧弁体が作動して噴霧し、またノズルが中位置にあるときには高い圧力で蓄圧弁体が作動して噴霧するように形成し、
ノズルが後位置にあるときに、蓄圧弁体(８０)の後方に設けた係止部(１７)と当接して、係止部(１７)と蓄圧弁座(５６)との間で蓄圧弁体(８０)が固定されるように設けたことを特徴とする、トリガー式噴霧器。
【請求項２】
上記ノズル(５０)を本体(２)の前部に対して前後動可能に螺合するとともに、
上記ノズル(５０)及び本体(２)の前部に、ノズル(５０)が上記後位置からさらに後退する向きに回動することを阻止する回動規制手段(Ｓ)を設けたことを特徴とする、請求項１記載のトリガー式噴霧器。
【請求項３】
上記本体(２)の前部に設けた前方開口の支持筒部(１８)に上記ノズル(５０)を螺合させており、
本体(２)側からは、支持筒部(１８)の内側より前方へ小径シリンダ部(１６)を、またノズル(５０)が有する前壁部(５２)のノズル孔(Ｎ)開口箇所の周囲より後方へ大径シリンダ部(６０)をそれぞれ突設するとともに、大径シリンダ部(６０)の内側に蓄圧弁座(５６)を形成し、
蓄圧弁体(８０)は、上記小径シリンダ部(１６)内面を摺動可能な小径摺動筒部(８２)の前端部を環状基部(８４)の内周部に連結するとともに、この環状基部から前方へ大径シリンダ部(６０)の内面を摺動可能な大径摺動筒部(８６)を突出し、かつ環状基部(８４)と連設して上記蓄圧弁座(５６)への圧接用の弁板(９０)を設け、
上記小径シリンダ部(１６)の前端部を係止部(１７)として上記環状基部(８４)の外周部後面に当接することで、小径シリンダ部(１６)の前端部と蓄圧弁座との間に蓄圧弁体(８０)が挟持されるように形成していることを特徴とする、請求項１又は請求項２に記載のトリガー式噴霧器。
【請求項４】
上記ノズル(５０)が上記前位置、中位置、後位置の何れかにあるときに、本体(２)の前部及びノズルの対応箇所が相互に係合することで本体に対するノズルの位置を決める位置決め手段(Ｐ)を設けたことを特徴とする、請求項１から請求項３のいずれかに記載のトリガー式噴霧器。
【発明の詳細な説明】
【技術分野】
【０００１】
本発明は、トリガー式噴霧器に関する。
【背景技術】
【０００２】
この種のトリガー式噴霧器として、噴霧器本体の前部にノズルを前後動可能に取り付けるとともに、本体からノズルのノズル孔へ至る液体流路内で、前方付勢させた弁体を弁座に圧接して形成する蓄圧弁を設け、本体に対するノズルの相対的な位置を変えることで弁座に対する弁体の圧接力を変化させ、噴霧状態を変化させるものが提案されている（特許文献１）。
【先行技術文献】
【特許文献】
【０００３】
【特許文献１】特開２０１１−１７７６２２
【発明の概要】
【発明が解決しようとする課題】
【０００４】
特許文献１のトリガー式噴霧器の蓄圧弁体は、ノズルが本体に対して後退した状態においてコイルスプリングなどの前方付勢手段により弁座に圧接している。しかしその噴霧器を容器体に装着したトリガー式液体噴霧容器を例えば床に落としたりして、トリガーに不意の外力がかかると、ノズルから内容物の予期せぬ噴霧・漏出を生じてしまう可能性があった。
【０００５】
本発明の目的は、本体に対するノズルの前後動により噴霧状態を変化させるタイプのトリガー式噴霧器であって、内容物の予期せぬ噴霧・漏出を防止できるものを提供することである。
【課題を解決するための手段】
【０００６】
第１の手段は、容器体への装着部４を有し、トリガー４０の操作により容器体側から本体２へ液体を吸い上げるとともに本体２の前部へ付設したノズル５０から噴霧することが可能なトリガー式噴霧器において、
上記本体２から蓄圧弁Ｖを介してノズル５０のスピン機構ＳＰに至りかつスピン機構と連続するノズル孔Ｎから噴霧する液体流路Ｌを備え、
上記本体２に対してノズル５０を移動してノズルの位置を前位置・中位置・後位置の何れかに調整できるように設け、
上記蓄圧弁Ｖは、前方付勢手段Ｂにより前方付勢された蓄圧弁体８０を蓄圧弁座５６に圧接してなり、
本体２に対するノズル５０の相対的な前後動によって、上記前方付勢手段Ｂによる蓄圧弁座５６への蓄圧弁体８０の圧接力が変化するように設けて、
ノズル５０が前位置にあるときには低い圧力で蓄圧弁体が作動して噴霧し、またノズルが中位置にあるときには高い圧力で蓄圧弁体が作動して噴霧するように形成し、
ノズルが後位置にあるときに、蓄圧弁体８０の後方に設けた係止部１７と当接して、係止部１７と蓄圧弁座５６との間で蓄圧弁体８０が固定されるように設けている。
【０００７】
本発明は、図１に示す容器体装着用のトリガー式噴霧器であって、本体２に対するノズル５０の前後動により噴霧パターンを広く（図７参照）又は狭く（図１０参照）することができるようにしたものに関する。本手段では、本体２に対するノズル５０の位置を、前位置・中位置・後位置の少なくとも３段階に調整できるようにし、ノズルが後位置にあるときに、図２に示すように蓄圧弁体８０が蓄圧弁座５６と係止部１７との間に挟まれて固定されるようにしている。これにより上述の予期しない噴霧や漏出を防止できる。後述のように中位置は複数設けてもよい。なお、上述の“高い圧力”、“低い圧力”という言葉は、ノズルの各位置において蓄圧弁体を作動させるために必要とされる圧力について相対的な意味に用いるものとする。
【０００８】
第２の手段は、第１の手段を有し、かつ
上記ノズル５０を本体２の前部に対して前後動可能に螺合するとともに、
上記ノズル５０及び本体２の前部に、ノズル５０が上記後位置からさらに後退する向きに回動することを阻止する回動規制手段Ｓを設けている。
【０００９】
本手段では、図３に示すようにノズルの回動規制手段Ｓを設けている。本体２に対してノズル５０が後位置にあるときに、さらにノズル５０が後退する向きへ回転することを阻止するように構成している。これによって蓄圧弁座５６と係止部１７との間に挟持された蓄圧弁体８０に不意に過剰な挟持力が作用することを回避している。図示例の回動規制手段Ｓは、ストッパ２０と当接片６４とで形成しているが、その構造は適宜変更することができる。
【００１０】
第３の手段は、第１の手段又は第２の手段を有し、かつ
上記本体２の前部に設けた前方開口の支持筒部１８に上記ノズル５０を螺合させており、
本体２側からは、支持筒部１８の内側より前方へ小径シリンダ部１６を、またノズル５０が有する前壁部５２のノズル孔Ｎ開口箇所の周囲より後方へ大径シリンダ部６０をそれぞれ突設するとともに、大径シリンダ部６０の内側に蓄圧弁座５６を形成し、
蓄圧弁体８０は、上記小径シリンダ部１６内面を摺動可能な小径摺動筒部８２の前端部を環状基部８４の内周部に連結するとともに、この環状基部から前方へ大径シリンダ部６０の内面を摺動可能な大径摺動筒部８６を突出し、かつ環状基部８４と連設して上記蓄圧弁座５６への圧接用の弁板９０を設け、
上記小径シリンダ部１６の前端部を係止部１７として上記環状基部８４の外周部後面に当接することで、小径シリンダ部１６の前端部と蓄圧弁座との間に蓄圧弁体８０が挟持されるように形成している。
【００１１】
本手段では、図２に示すように、小径シリンダ部１６の前端部を係止部１７として蓄圧弁体８０の環状基部８４の外周部後面に当接することを提案している。これにより蓄圧弁体８０を蓄圧弁座５６との間に確実に挟持することができる。また小径シリンダ部１６の前端部を係止部１７として利用するので、構造が簡単となる。
【００１２】
第４の手段は、第１の手段から第３の手段の何れかを有し、かつ
上記ノズル５０が上記前位置、中位置、後位置の何れかにあるときに、本体２の前部及びノズルの対応箇所が相互に係合することで本体に対するノズルの位置を決める位置決め手段Ｐを設けている。
【００１３】
本手段では、例えば図６に示すように、ノズルの位置を決める位置決め手段Ｐを設けることを提案している。位置決め手段は、例えば本体２の前部及びノズル５０に付設した相互に係合可能な凹凸構造とすることができ、図示例では、回動規制手段Ｓの一部であるストッパ２０を位置決め要素として兼用し、ノズル５０に付設した一対の位置決め用突部６８と係合するように設けている。
【発明の効果】
【００１４】
第１の手段に係る発明によれば、不使用時に本体２に対してノズル５０を後位置とすることで、蓄圧弁体８０が係止部１７と蓄圧弁座５６との間で固定されるので予期せぬ内容物の噴霧・漏出などを確実に防止できる。
第２の手段に係る発明によれば、ノズル５０が上記後位置からさらに後退する向きに回動することを阻止する回動規制手段Ｓを設けたから、ノズルが後位置にある状態で利用者が誤ってノズルを後退させる向きへ回すことを防止できる。
第３の手段に係る発明によれば、係止部１７である小径シリンダ部１６の前端部と蓄圧弁座との間に蓄圧弁体８０を挟持するから、別途に係止部を設ける必要がなく、構造が複雑となることがない。
第４の手段に係る発明によれば、本体２の前部とノズル５０との間に、ノズル５０が本体２に対して前位置、中位置、後位置の何れかにあるときに位置決めをする位置決め手段Ｐを設けたから、使い勝手がよい。
【図面の簡単な説明】
【００１５】
【図１】本発明の第１実施形態に係るトリガー式噴霧器を側方から見た縦断面図であって、ノズルが後位置にある状態を示す図である。
【図２】図１のトリガー式噴霧器の要部拡大図である。
【図３】図２のトリガー式噴霧器の要部をＩＩＩ−ＩＩＩ方向から見た断面を、支持筒部１８の内側を省略して描いた図である。
【図４】図２の要部が有するノズルチップ７０の断面図である。
【図５】図１のトリガー式噴霧器の要部を、ノズルを中位置へ前進させた状態で示す拡大図である。
【図６】図５に示す要部の縦断面図である。
【図７】図５に示す状態での噴霧パターンを示す使用状態説明図である。
【図８】図１のトリガー式噴霧器の要部を、ノズルを前位置へ前進させた状態で示す拡大図である。
【図９】図８に示す要部の縦断面図である。
【図１０】図８に示す状態での噴霧パターンを示す使用状態説明図である。
【発明を実施するための最良の形態】
【００１６】
図１から図１０は、本発明の実施形態に係るトリガー式噴霧器を示している。
トリガー式噴霧器１は、本体２ の前端にノズル５０を備え、容器体１００の口頸部に嵌合させる装着筒４により容器体に装着されている。また、トリガー式噴霧器１は、本体２より揺動可能に垂設したトリガー４０を設けるとともに、トリガー４０の前後揺動操作により、ポンプ機構１０を作動させ、ノズル５０より内容液を噴出するとともに吸い上げパイプ３０を介して容器体から液を吸い上げるように構成している。ポンプ機構等は従来のこの種のトリガー式噴霧器に使用されている機構を採用できる。
本明細書では、ノズル孔Ｎが開口している方向（図１では図面左方）を前方と、その反対方向を後方と呼ぶものとする。
【００１７】
本発明において、ノズル５０は、図２に拡大図で示す如く、本体２の流路を形成する射出筒部１２の先端に回動可能に嵌合させており、その内部には蓄圧弁体８０を内蔵している。
【００１８】
射出筒部１２は、筒壁の先端を塞ぐ先端壁１４の中心部から、図２に示す如く、後述のコイルスプリングを係止させるための棒状の係止突部２２を、また係止突部の回りから、小径シリンダ部１６と、小径シリンダ部を囲む支持筒部１８とをそれぞれ前方突出している。また係止突部２２と小径シリンダ部１６との間の先端壁部分に流路孔２４を開口している。
【００１９】
ノズル５０は、本実施形態において、前壁部５２を有し、この前壁部５２の後面から後方突出する回動筒部６２を、上記支持筒部１８の外面に螺合させている。前壁部５２において回動筒部６２より内側に位置する部分からは、弁座筒部５４と、弁座筒部５４を外側から囲む大径シリンダ部６０とを後方突出している。さらに弁座筒部５４の内側には蓄圧弁座５６を形成する。本実施形態において蓄圧弁座５６は、弁座筒部５４の後方部分の内周面を拡径することで形成された段差部によって構成されている。弁座筒部５４の後部には切欠き５８を穿設している。また回動筒部６２を外側から囲む外周壁部６６が前壁部５２から後方に突出している。
【００２０】
上記前壁部５２は、前壁部５２において上記弁座筒部５４より内側に位置する部分を前方へ延出して、後述のノズルチップ７０を嵌合するための嵌合突部５２ａとし、この嵌合突部５２ａとの間に一定の間隔を存して前方突出する口筒部５２ｂを設けている。また、嵌合突部５２ａと口筒部５２ｂとの間に位置する前壁部５２の一部を貫通させ、上述の流路孔２４から弁座筒部５４の内側を介してノズル孔Ｎへ到る液体流路Ｌを開通させている。嵌合突部５２ａの側面には液体流路の一部である凹溝を形成する。
【００２１】
ノズルチップ７０は、中心部にノズル孔Ｎを有する前板部７０ａの外周部から、差込筒部７０ｂを後方突出している。差込筒部７０ｂは、上記嵌合突部５２ａと口筒部５２ｂとの間に嵌挿している。また前板部７０ａの後面には、図４に示すように、複数の渦巻き状の放射状凹部７２を凹設して、嵌合突部５２ａとの間にスピン機構ＳＰを形成する。各放射状凹部７２は、上述の嵌合突部５２ａの凹溝に連続している。
【００２２】
蓄圧弁体８０は、小径摺動筒部８２と、環状基部８４と、大径摺動筒部８６と、連結板８８と、弁板９０とで形成している。小径摺動筒部８２は、小径シリンダ部１６内周を摺動可能に形成され、小径摺動筒部の前端部は、環状基部８４の内周部に連結されている。環状基部８４からは、大径摺動筒部８６を前端大径のテーパ状に突出しており、その大径摺動筒部８６の前端を大径シリンダ部６０内へ摺動可能に嵌合している。弁板９０は、環状基部８４と弁板９０とを周方向複数の連結板８８により一体に連結して、蓄圧弁座５６に当接可能に支持している。弁板９０と係止突部２２との間には、前方付勢手段Ｂであるコイルスプリングを介在させ、コイルスプリングの弾性力により蓄圧弁座５６に弁板９０を圧接することで蓄圧弁Ｖを形成している。
【００２３】
本発明のトリガー式噴霧器は、本体２に対するノズル５０の前後動により、噴霧パターンを変更する構造を有する。すなわち、ノズルの前後動により、蓄圧弁座５６に弁板９０が圧接している状態でのコイルスプリングなどの前方付勢力が変化し、これにより蓄圧弁座５６に対する弁板９０の圧接力が変化する。圧接力が高いと、蓄圧弁Ｖが開くために必要な液圧も高くなるので、その液体がスピン機構に入ったときに生ずるスピンが強まり、噴霧パターンの噴霧角度が広がることになる。前方付勢手段は、コイルスプリングに限られるものではない。
【００２４】
本実施形態においては、本体２に対するノズル５０の位置として、図２に示す後位置、図５に示す中位置、図８に示す前位置を適宜選択できるようにしている。各図において、ノズル５０の位置の違いを示すために、外周壁部６６の後端と本体２との間隙Ａの長さの変化を表示している。
【００２５】
図示はしないが、蓄圧弁体が固定される後位置と、噴霧パターンが最も狭くなる前位置との間に、噴霧パターンが異なる複数の状態を設定して、それぞれの状態に対応して、ノズルが位置決めされるように設けてもよい。本明細書ではこれら複数の状態に対応する位置を全て“中位置”と称する。
【００２６】
図２に示す後位置では、蓄圧弁体８０の後側に係止部１７を当接させて、蓄圧弁体８０を蓄圧弁座５６と係止部１７との間に挟み、固定している。これにより、トリガー式噴霧器を容器体に装着した状態で、不意に内容物が噴霧され、或いは漏出することを防止している。係止部１７は、本実施形態では、小径シリンダ部１６の前端部で形成しているが、蓄圧弁体８０を係止できる限り、どのような構造でもよい。また図示例では、係止部１７を蓄圧弁体８０の環状基部８４の外周部後面に当接しているが、この当接箇所も適宜変更することができる。
【００２７】
また本実施形態では、本体２に対してノズル５０が後位置にあるときに、利用者が誤ってノズル５０を後退させる向きに回転させることを防止する回動規制手段Ｓを設けている。この回動規制手段Ｓは、本実施形態において支持筒部１８の後部から図３に示すように外方へ突出するストッパ２０と、回動筒部６２の後端部の周方向一部から図５に示すように後方へ突出した当接片６４とで形成している。当接片６４は、図示例では、後方からみて円弧状であり（図３参照）、その円弧の範囲を示すため、当接片６４の一方端部を符号６４ａで、他方端部を符号６４ｂでそれぞれ表す。図３に示す状態で当接片６４の一方端部６４ａがストッパ２０と突き当たって、ノズル５０を後退させる方向Ｘへの回転を阻止している。ノズルを前進させるときには、前進させる方向Ｙ（後退させる方向と反対方向）に回転させる。このときには、図６、図９に示すように当接片６４はストッパ２０との当接位置から前進させる方向Ｙへ移動する。図９に示す状態（前位置）では、図３の状態に比べてノズル５０が前進しているので、当接片６４の他方端部６４ｂがストッパ２０に当接することで、それ以上のノズル５０を前進させる方向への回転を阻止している。図示例ではストッパ２０は板状の突片に形成している。この実施形態での回動規制手段Ｓの構造は適宜変更することができる。
【００２８】
さらに本実施形態では、本体２に対してノズル５０が後位置、中位置、前位置にあるときに、本体２の前部とノズル５０との対応箇所が相互に係合してノズルの位置を決める位置決め手段Ｐを設けている。図示例では、図３に示すように、外周壁部６６の内面に等角的に離れた位置にそれぞれ一対の位置決め用突部６８を設け、これら位置決め用突部６８の間に上記ストッパ２０の先端が嵌合することで位置決め手段Ｐを形成している。なお、図示例では、外周壁部６６の周方向３か所にそれぞれ一対の位置決め用突部６８を設けているが、中間位置を複数にするときには、一対の位置決め用突部を付設する箇所を増やせばよい。また、一対の位置決め用突部６８を配置する間隔は、等間隔に限定されることなく、適宜変更することができる。
【００２９】
上記トリガー式噴霧器を容器体に装着して使用する場合について説明する。図１の状態からノズル５０を中位置又は前位置へ前進させ、次にトリガー４０を引くと、ポンプ機構が作動して、液体が射出筒部１２を通って小径シリンダ部１６及び大径シリンダ部６０内に入る。ここで大径摺動筒部８６と小径摺動筒部８２との径差で生ずる圧力により蓄圧弁体８０が後方へ押圧され、前方付勢手段Ｂの付勢力に抗して蓄圧弁Ｖが開き、液体がノズル孔Ｎから前方へ噴霧される。
【００３０】
その際に、ノズル５０が中位置にあるときには、図５に示す如く環状基部８４と係止部１７との間のギャップΔｇが小さく、蓄圧弁座５６に対する蓄圧弁体８０の圧接力が強いため、開弁したときにスピン機構ＳＰでのスピン作用も強い。従って図７に示すように相対的に広い噴霧パターンが得られる。
【００３１】
ノズル５０が前位置にあるときには、図８に示す如く環状基部８４と係止部１７との間のギャップΔｇが大きく、蓄圧弁座５６に対する蓄圧弁体８０の圧接力が弱いため、開弁したときにスピン機構ＳＰでのスピン作用も弱い。従って図１０に示すように相対的に狭い噴霧パターンが得られる。
【００３２】
所定量の液体が噴霧され、液体流路Ｌ内の液圧が下がると、前方付勢手段Ｂの付勢力により蓄圧弁Ｖが閉じる。次にトリガー４０を解放すると、ポンプ機構の作用により、内容液が本体内へ吸い上げられる。
【符号の説明】
【００３３】
１…トリガー式噴霧器  ２…本体  ４…装着部（装着筒）  １０…ポンプ機構
１２…射出筒部  
１４…先端壁  １６…小径シリンダ部  １７…係止部  １８…支持筒部
２０…ストッパ  ２２…係止突部  ２４…流路孔
３０…吸い上げパイプ      
４０…トリガー  
５０…ノズル  ５２…前壁部  ５２ａ…嵌合突部  ５２ｂ…口筒部  
５４…弁座筒部  ５６…蓄圧弁座  ５８…切欠き
６０…大径シリンダ部  ６２…回動筒部
６４…当接片  ６４ａ…一方端部  ６４ｂ…他方端部  ６６…外周壁部
６８…位置決め用突部
７０…ノズルチップ
７０ａ…前板部  ７２…放射状凹部  ７０ｂ…差込筒部  
８０…蓄圧弁体  ８２…小径摺動筒部  ８４…環状基部  ８６…大径摺動筒部
８８…連結板  ９０…弁板    １００…容器体
Ａ…隙間  Ｂ…前方付勢手段（コイルスプリング）  ｇ…ギャップ
Ｌ…液体流路  Ｎ…ノズル孔  Ｓ…回動規制手段  ＳＰ…スピン機構
Ｐ…位置決め手段  Ｖ…蓄圧弁
【図１】
2016140784.tif 000003
【図２】
2016140784.tif 000004
【図３】
2016140784.tif 000005
【図４】
2016140784.tif 000006
【図５】
2016140784.tif 000007
【図６】
2016140784.tif 000008
【図７】
2016140784.tif 000009
【図８】
2016140784.tif 000010
【図９】
2016140784.tif 000011
【図１０】
2016140784.tif 000012